(57)【要約】  香料保持構造体（２００）は、香料保持体（２５１）と、香料保持体が配置される保持空間（２３１）と、保持空間を外部に開放する第１の開口部（２２１）及び第２の開口部（１５１）と、を備え、保持空間は、断面形状の少なくとも一部が湾曲又は屈曲した空間であり、香料保持体は、曲げ剛性を低下させる脆弱部を備える。
2020026662.tif 000002
【特許請求の範囲】
【請求項１】
香料保持体と、
前記香料保持体が配置される保持空間と、
前記保持空間を外部に開放する第１の開口部及び第２の開口部と、を備え、
前記保持空間は、断面形状の少なくとも一部が湾曲又は屈曲した空間であり、
前記香料保持体は、曲げ剛性を低下させる脆弱部を備える、香料保持構造体。
【請求項２】
前記脆弱部が、切断線、凹溝又は孔のいずれかである、
請求項１に記載の香料保持構造体。
【請求項３】
前記脆弱部が、前記香料保持体の曲げ方向に交差する所定方向に沿う線上に設けられる、
請求項２に記載の香料保持構造体。
【請求項４】
前記脆弱部が、前記所定方向に沿って連続的又は断続的に設けられる、
請求項３に記載の香料保持構造体。
【請求項５】
前記保持空間は、断面形状が全体としてリング状をなす１つ又は複数の保持空間を含む、
請求項１に記載の香料保持構造体。
【請求項６】
前記脆弱部は、断面形状が全体としてリング状をなす前記保持空間の中心線が延びる方向に沿って設けられる、
請求項５に記載の香料保持構造体。
【請求項７】
前記香料保持体は、合成繊維集束体からなる、
請求項１に記載の香料保持構造体。
【請求項８】
前記保持空間は、
前記香料保持体に隣接する空間として形成された領域であって、前記第１の開口部と前記第２の開口部とを結ぶ通風領域を含む、
請求項１に記載の香料保持構造体。
【請求項９】
前記通風領域は、前記第１の開口部と前記第２の開口部とを所定方向に沿って直線的に結び、前記香料保持体は、前記通風領域に対して前記所定方向に交差する方向に隣接して配置される、
請求項８に記載の香料保持構造体。
【請求項１０】
前記香料保持体の前記通風領域側への移動を制限する規制部を備える、
請求項８に記載の香料保持構造体。
【請求項１１】
前記規制部が、前記保持空間の内面に設けられたリブである、
請求項１０に記載の香料保持構造体。
【請求項１２】
前記保持空間内に香料を注入するための香料注入口をさらに備える、
請求項１に記載の香料保持構造体。
【請求項１３】
前記保持空間は、
前記香料保持体に隣接する空間として形成された領域であって、前記第１の開口部と前記第２の開口部とを結ぶ通風領域を含み、
前記香料保持体は、
前記香料注入口から注入される香料が前記通風領域に進入することを妨げるための堰部を備える、
請求項１２に記載の香料保持構造体。
【請求項１４】
前記第１の開口部が空気供給口であり、前記第２の開口部が空気吹出口であり、
前記香料保持構造体は、
前記保持空間、前記第１の開口部及び前記香料注入口を有するケースと、
前記ケースに対して回転自在に取り付けられ、前記第２の開口部を有するケースカバーと、を備え、
前記ケースは、
前記ケースと前記ケースカバーとの相対回転位置に応じて前記第２の開口部と前記保持空間とを連通する連通孔を備える、
請求項１２に記載の香料保持構造体。
【請求項１５】
前記香料注入口は、前記連通孔と同一の面に設けられ、
前記連通孔内にリブが設けられる、
請求項１４に記載の香料保持構造体。
【請求項１６】
前記香料保持構造体は、香り提供装置に装着される香料カートリッジである、
請求項１に記載の香料保持構造体。
【請求項１７】
香料保持体、前記香料保持体が配置される保持空間、並びに、前記保持空間を外部に開放する第１の開口部及び第２の開口部を備える香料保持構造体と、
前記保持空間へ空気を供給する送風源と、を備え、
前記保持空間は、断面形状の少なくとも一部が湾曲又は屈曲した空間であり、
前記香料保持体は、曲げ剛性を低下させる脆弱部を備える、香り提供装置。
【発明の詳細な説明】
【技術分野】
【０００１】
本開示は、香料保持構造体及び香り提供装置に関する。
【背景技術】
【０００２】
従来、香りを提供する香り提供装置に関する技術が提案されている。例えば、特許文献１には、香料保持体が格納された格納装置に空気を供給し、気化した香り成分を空気の流れによって放出させて香りを提供する技術が提案されている。具体的に、特許文献１には、香料保持体を収容する収容部と、収容部に収容された香料保持体の香りを放出する放出部と、を備え、収容部に対して連通孔を介して空気を供給し、香料保持体に保持された液体香料を気化させつつ放出部から放出させる香り提供装置が開示されている。
【先行技術文献】
【特許文献】
【０００３】
【特許文献１】特開２０１４−６７２９３号公報
【発明の概要】
【発明が解決しようとする課題】
【０００４】
ここで、香料保持体に液体香料を含浸させる場合には、香料保持体にはできるだけ多くの液体香料を含浸し保持する機能や液体香料に対する耐性が求められる。このような特性を発揮できるように香料保持体の材料を選択した場合、香料保持体の曲げ剛性が大きくなることが考えられる。香料保持体を収容する空間が、断面形状の少なくとも一部が湾曲又は屈曲した空間である場合、曲げ剛性が大きい香料保持体を当該空間に合わせて変形させつつ収容することは困難である。また、当該空間の形状に合わせて香料保持体を成形することは製造上あるいはコスト上望ましくない。【０００５】
そこで、本開示では、断面形状の少なくとも一部が湾曲又は屈曲した保持空間内に所定の硬度を有する香料保持体を配置可能な、新規かつ改良された香料保持構造体及び香り提供装置を提供する。
【課題を解決するための手段】
【０００６】
本開示によれば、香料保持体と、香料保持体が配置される保持空間と、保持空間を外部に開放する第１の開口部及び第２の開口部と、を備え、保持空間は、断面形状の少なくとも一部が湾曲又は屈曲した空間であり、香料保持体は、曲げ剛性を低下させる脆弱部を備える、香料保持構造体が提供される。【０００７】
また、本開示によれば、香料保持体、香料保持体が配置される保持空間、並びに、保持空間を外部に開放する第１の開口部及び第２の開口部を備える香料保持構造体と、保持空間へ空気を供給する送風源と、を備え、保持空間は、断面形状の少なくとも一部が湾曲又は屈曲した空間であり、香料保持体は、曲げ剛性を低下させる脆弱部を備える、香り提供装置が提供される。
【発明の効果】
【０００８】
以上説明したように本開示によれば、断面形状の少なくとも一部が湾曲又は屈曲した保持空間内に所定の硬度を有する香料保持体を配置することができる。【０００９】
なお、上記の効果は必ずしも限定的なものではなく、上記の効果とともに、又は上記の効果に代えて、本明細書に示されたいずれかの効果、または本明細書から把握され得る他の効果が奏されてもよい。
【図面の簡単な説明】
【００１０】
【図１】本開示の実施の形態に係る香り提供装置の外観を示す斜視図である。
【図２】同実施形態に係る香り提供装置の軸方向断面の斜視図である。
【図３】同実施形態に係る香料保持構造体（香料カートリッジ）の外観を示す斜視図である。
【図４】同実施形態に係る香料保持構造体を軸方向に見た正面図である。
【図５】同実施形態に係る香料保持構造体を軸方向に見た背面図である。
【図６】同実施形態に係る香料保持構造体の軸方向断面図である。
【図７】同実施形態に係る香料保持構造体の分解斜視図である。
【図８】同実施形態に係る香料保持構造体の第１のケース体を軸方向に見た正面図である。
【図９】同実施形態に係る香料保持構造体の第２のケース体を軸方向に見た正面図である。
【図１０】同実施形態に係る香料保持構造体の第２のケース体の側面図である。
【図１１】同実施形態に係る香料保持構造体の第２のケース体を軸方向に見た背面図である。
【図１２】同実施形態に係る香料保持構造体の第２のケース体の軸方向断面図である。
【図１３】同実施形態に係る香料保持構造体のケースカバーを軸方向に見た正面図である。
【図１４】同実施形態に係る香料保持構造体のケースカバーの側面図である。
【図１５】同実施形態に係る香料保持構造体のケースカバーを軸方向に見た背面図である。
【図１６】同実施形態に係る香料保持構造体のケースカバーの軸方向断面図である。
【図１７】香料保持体を収容した第１のケース体を軸方向に見た図である。
【図１８】保持空間内に配置された状態の香料保持体を示す斜視図である。
【図１９】脆弱部の間隔を小さくした香料保持体を示す説明図である。
【図２０】脆弱部の間隔を小さくした香料保持体を曲げた様子を示す説明図である。
【図２１】凹溝からなる脆弱部を示す説明図である。
【図２２】凹溝からなる脆弱部を有する香料保持体を曲げた様子を示す説明図である。
【図２３】ミシン目からなる脆弱部を示す説明図である。
【図２４】ミシン目からなる脆弱部を有する香料保持体を曲げた様子を示す説明図である。
【図２５】香料カートリッジの作用を説明するための図である。
【図２６】香料カートリッジに液体香料を注入する様子を示す説明図である。
【図２７】封止治具を示す斜視図である。
【図２８】香料注入口が封止された状態を示す説明図である。
【図２９】変形例に係る香料カートリッジの構成を示す分解斜視図である。
【図３０】参考例に係る香料カートリッジの構成例を示す分解斜視図である。
【図３１】参考例に係る香料カートリッジの通風領域を説明するための図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．香り提供装置の概要
２．香り提供装置の全体構成例
３．香料カートリッジ（香料保持構造体）
４．香料カートリッジの変形例
【００１３】
以下の説明において、香りの吹き出し方向を前方側あるいは先端側といい、その逆方向を後方側あるいは後端側ともいう。
【００１４】
＜１．香り提供装置の概要＞
まず、本開示の実施の形態に係る香り提供装置の概要を簡単に説明する。図１は、本実施形態に係る香り提供装置１の外観を示す斜視図であり、図２は、香り提供装置１の軸方向断面図である。
【００１５】
本実施形態に係る香り提供装置１は、香料カートリッジ２００と装置本体７００とを備える。装置本体７００は、ハウジング７１０を有する。ハウジング７１０内に、バッテリ８１０、エアポンプ８４０、及び、バッテリ８１０からエアポンプ８４０への電力供給を制御する回路基板８２０が備えられる。装置本体７００の前方側には、香料カートリッジ２００が脱着可能になっている。本実施形態において、香料カートリッジ２００が、香料保持構造体に相当する。
【００１６】
香り提供装置１は、香料カートリッジ２００に設けられた保持空間２３１（図２では保持空間２３１ａ，２３１ｂ）に空気を流し、それぞれの保持空間２３１に配置された図示しない香料保持体に保持された液体香料を気化させて放出する。例えば、香り提供装置１は、エアポンプ８４０から供給される空気を香料カートリッジ２００の保持空間２３１を通過させることにより、液体香料又は湿潤状態の香料（以下、まとめて「液体香料」という。）を気化させて空気とともに保持空間２３１から放出させる。
【００１７】
本実施形態に係る香り提供装置１は、例えば、限られた範囲の空間に香りを放出する装置として用いられる。例えば、利用者が、自身の顔の近くで１回あるいは複数回香り提供装置１から香りを放出させ、気分をリラックスさせる。香り提供装置１は、高い直進性で香りを放出し、香りを広範囲に拡散しにくくなっているため、周囲の人は香りを感知しにくくなる。本実施形態に係る香り提供装置１は、利用者による持ち運びが可能な携帯型の香り提供装置１であるが、香り提供装置は据え置き型であってもよい。
【００１８】
＜２．香り提供装置の全体構成例＞
次に、香り提供装置１の全体構成の一例を説明する。
【００１９】
図１及び図２に示したように、香り提供装置１は、香料カートリッジ２００及び装置本体７００を備える。装置本体７００は、ハウジング７１０内に備えられたバッテリ８１０、回路基板８２０及びエアポンプ８４０の他に、ハウジング７１０の先端側にプリズム部５００、回転操作部６００及びベース部７４０を備える。
【００２０】
プリズム部５００は、透明素材からなり、回転操作部６００内に配置される。プリズム部５００は、回転操作部６００に圧入されてもよいし、適宜の手段により接合あるいは固定されてもよい。プリズム部５００は、香料カートリッジ２００が配置される軸方向孔５３０を有する。軸方向孔５３０の外周面の一部には、香料カートリッジ２００を装着する際の位置決め要素となる位置決め溝５３１が形成される。
【００２１】
プリズム部５００の後方側は、後端部に向けて縮径するテーパ形状を有する。テーパ形状に形成された部分の外面には鏡面仕上げが施され、鏡面部５１０となっている。このため、利用者が、香り提供装置１の前方側から、プリズム部５００を介して、鏡面部５１０で反射された香料カートリッジ２００の外周面の文字や図柄等を視認することができる。プリズム部５００の構成材料は、形成後に透明性を有するものであれば特に限定されない。例えば、プリズム部５００は、ガラスや水晶、透明樹脂等により形成されていてよい。
【００２２】
回転操作部６００は、プリズム部５００及び香料カートリッジ２００の外周に配置される。回転操作部６００は、一体化された外筒部６１０及び保持部６２０を有する。外筒部６１０は、プリズム部５００が配置される軸方向孔６１１を有し、プリズム部５００の外周に配置される。保持部６２０は、内周部に香料カートリッジ２００を保持するとともに、その一部がプリズム部５００の鏡面部５１０の外周に配置される。保持部６２０の内周部には、プリズム部５００の位置決め溝５３１に連続して配置される位置決め溝６４１が形成される。
【００２３】
香料カートリッジ２００のケース２１０には、香料カートリッジ２００を装着する際の位置決め要素となる突部２１２が設けられる。突部２１２は、プリズム部５００の位置決め溝５３１及び保持部６２０の位置決め溝６４１内に配置される。これにより、回転操作部６００に対する香料カートリッジ２００の位置決めが可能になり、かつ、回転操作部６００と香料カートリッジ２００のケース２１０とが一体的に回転可能になっている。
【００２４】
ベース部７４０は、支持部７５０及び基台部７６０を有する。支持部７５０は筒形状を有する。基台部７６０は、支持部７５０の内周部に、軸方向移動可能に支持される。基台部７６０及び支持部７５０は、ハートカム機構７６３により連結されており、基台部７６０は、支持部７５０に対して、前進位置及び後退位置でそれぞれ保持可能になっている。また、支持部７５０の内周部には、香料カートリッジ２００の後端部が回転自在に支持される。さらに、支持部７５０の内周部の前方側には、回転操作部６００の保持部６２０が回転自在に支持される。
【００２５】
支持部７５０には、香料カートリッジ２００の後端部の外周面に設けられた凹部２１７に進入可能な係合要素としてのピストン８５５が設けられる。ピストン８５５は、ピストンスプリング８５３により香料カートリッジ２００の外周面に向けて付勢される。これにより、香料カートリッジ２００を回転させている間は、ピストンスプリング８５３が縮んでピストン８５５が後退し、いずれかの凹部２１７がピストン８５５の位置に一致したときに、ピストン８５５が凹部２１７内に進入する。これにより、香料カートリッジ２００を所定の回転位置に固定したり、利用者に対して回転操作感を与えたりすることができる。
【００２６】
基台部７６０は、前方側に延びる固定軸７６１を有する。固定軸７６１は、香料カートリッジ２００のケースカバー１５０の円柱部１５５内に挿入される。固定軸７６１の先端には、図示しない係合部が設けられる。当該係合部は、香料カートリッジ２００のケースカバー１５０の円柱部１５５内において、円柱部１５５内に形成された図示しない係合部に係合し、ケースカバー１５０とベース部７４０との相対回転が規制される。これにより、一体回転可能な回転操作部６００及び香料カートリッジ２００のケース２１０が、ベース部７４０に対して相対回転可能になっている。
【００２７】
基台部７６０は、軸方向に貫通するエア供給口７６５を有する。エアポンプ８４０は、バッテリ８１０から供給される電力によって駆動されて、エア供給口７６５に空気を導入する。エア供給口７６５に導入された空気は、香料カートリッジ２００に設けられた複数の保持空間２３１のいずれか１つに供給される。
【００２８】
また、基台部７６０は、位置決め用の突部７６４を有する。突部７６４は、回転操作部６００の保持部６２０に形成された図示しない係止溝部に係合可能になっている。具体的に、基台部７６０の突部７６４は、基台部７６０が前進位置で支持部７５０に保持された状態で回転操作部６００の保持部６２０の係止溝部に係合する。また、基台部７６０の突部７６４は、基台部７６０が後退位置で支持部７５０に保持された状態で保持部６２０の係止溝部との係合状態から解放される。かかる機構は、香料カートリッジ２００を香り提供装置１から取外した状態で、回転操作部６００とベース部７４０との相対回転を制限する回転ロック機構として機能する。
【００２９】
エアポンプ８４０は、例えば、圧電素子に対して交流電流を供給することによりダイヤフラムを変形させて空気の吸引及び圧送を行うダイヤフラム式のポンプであってよい。バッテリ８１０は、放電のみを行う交換可能な電池でもよいし、充放電可能な二次電池であってもよい。エアポンプ８４０の駆動の制御は、操作スイッチ７３０を操作することにより行われる。例えば、操作スイッチ７３０を押すことによって、回路基板８２０のスイッチング素子がオンオフされ、バッテリ８１０からエアポンプ８４０へと電力が供給される。これにより、エア供給口７６５を介して香料カートリッジ２００へと空気が供給される。
【００３０】
例えば、操作スイッチ７３０の押下を繰り返すごとに、通電のオンオフが切り替わるようになっていてもよく、操作スイッチ７３０を押下している間、通電がオンの状態で維持されるようになっていてもよい。回路基板８２０上には、香り提供装置１の作動状態を示すＬＥＤ（Light  Emitting  Diode）等の光源に例示されるような他の電子部品が実装されていてもよい。また、香り提供装置１を、リモートコントローラやスマートホン等により操作可能にするには、回路基板８２０上に通信インタフェースが実装されていてもよい。
【００３１】
なお、香料カートリッジ２００に向けて空気を供給する送風源は、エアポンプ８４０に限られず、例えば、ファンを回転させる形式の送風器であってもよい。また、香料カートリッジ２００に向けて空気を供給する送風源は、電動式のものでなくてもよく、手動式のものでもよい。送風源を手動式のものとした場合、バッテリ、操作スイッチ及び回路基板が省略されていてもよい。
【００３２】
＜３．香料カートリッジ（香料保持構造体）＞
次に、本実施形態に係る香料保持構造体としての香料カートリッジ２００について詳細に説明する。本実施形態では、香料保持体２５１が配置される保持空間２３１を２つ備えた香料カートリッジ２００を例に採って説明する。
【００３３】
（全体構成例）
図３〜図７は、香料カートリッジ２００の全体構成の一例を説明するための図である。図３は、香料カートリッジ２００の外観を示す斜視図である。図４は、香料カートリッジ２００を前方側から軸方向に見た正面図であり、図５は、香料カートリッジ２００を後方側から軸方向に見た背面図である。図６は、香料カートリッジ２００の軸方向断面図であり、図４及び図５に示すＩ−Ｉ断面の矢視図に相当する。図７は、香料カートリッジ２００の分解斜視図である。
【００３４】
香料カートリッジ２００は、全体として円筒形状の外観を有する。香料カートリッジ２００は、エアポンプ８４０から供給される空気を通過させる複数の保持空間２３１ａ，２３１ｂ（以下、特に区別することを要しない場合には、保持空間２３１と総称する。）を有する。保持空間２３１ａ，２３１ｂには、液体香料を保持する香料保持体２５１ａ，２５１ｂ（以下、特に区別することを要しない場合には、香料保持体２５１と総称する。）が配置される。
【００３５】
液体香料は、例えば、精油、あるいは、エタノールで希釈された精油等であってよい。本実施形態に係る香料カートリッジ２００は、香料保持体２５１が収容された保持空間２３１に対して、利用者が任意の液体香料を注入できるものであってよい。このため、液体香料は、香りを発生可能な任意の液体であってよい。
【００３６】
各保持空間２３１に保持される液体香料は、保持空間２３１ごとに異なっていてもよく、同じであってもよい。各保持空間２３１に同一の液体香料が保持される場合には、利用者のお気に入りの香りを長期間にわたって楽しむことができる。また、各保持空間２３１に異なる液体香料が保持される場合には、空気を供給可能な保持空間２３１を切り替えることによって、放出させる香りを切り替えることができる。したがって、例えば、気分によって香りを切り替えることができる。
【００３７】
本実施形態に係る香料カートリッジ２００は、ケース２１０、ケースカバー１５０及び香料保持体２５１を備える。ケース２１０は、第１のケース体２１１と、第１のケース体２１１の前方側に固定される第２のケース体１００とを備える。ケースカバー１５０は、ケース２１０の前面に軸回転自在に取り付けられる。香料保持体２５１は、液体香料を保持し、ケース２１０に設けられた複数の保持空間２３１のそれぞれに配置される。
【００３８】
香料カートリッジ２００は、後端面に、保持空間２３１ａ，２３１ｂの数と同数の第１の開口部２２１ａ，２２１ｂ（以下、特に区別することを要しない場合には、第１の開口部２２１と総称する。）を有する。第１の開口部２２１は、それぞれの保持空間２３１を外部に開放する。本実施形態では、２つの第１の開口部２２１ａ，２２１ｂが、軸回りに１８０度等間隔で配置される。また、第１の開口部２２１ａから反時計回りに６０度の位置には疑似穴２２３が設けられる。
【００３９】
香料カートリッジ２００は、先端面に、１つの第２の開口部１５１を有する。第２の開口部１５１は、ケースカバー１５０に設けられ、ケースカバー１５０とケース２１０とが相対的に回転することにより、第２の開口部１５１が、複数の保持空間２３１のうちのいずれかに選択的に連通可能になっている。つまり、香料カートリッジ２００のケース２１０を軸回転させることにより、空気を通過させる保持空間２３１の切り替えが可能になっている。
【００４０】
本実施形態に係る香料カートリッジ２００は、径方向断面の形状が全体としてリング状をなす２つの保持空間２３１ａ，２３１ｂを備える。２つの保持空間２３１ａ，２３１ｂは、断面形状が湾曲した空間であって、回転対称となっている。なお、保持空間２３１の数は、２つに限られない。また、複数の保持空間２３１は、回転対称でなくてもよい。
【００４１】
香料カートリッジ２００は、外周面に、香料カートリッジ２００を装着する際の位置決め要素となる突部２１２を有する。突部２１２は、第２のケース体１００の突部１１３と、第１のケース体２１１の突部２１３とが連なるようにして形成され、軸方向に沿う所定の長さを有する。
【００４２】
香料カートリッジ２００は、後端側の外周面に、複数の保持空間２３１の数よりも一つ多い数の凹部２１７を備える。複数の凹部２１７は、後端面に設けられた第１の開口部２２１ａ，２２１ｂ及び疑似穴２２３の位置に対応する位置に設けられている。凹部２１７は、装置本体７００に備えられた係合要素と係合することで、ケース２１０を所定の回転位置で固定するとともに、利用者に対して回転操作感を与える機能を有する。なお、複数の凹部２１７は、第１の開口部２２１及び疑似穴２２３の位置からずれていてもよい。
【００４３】
香料カートリッジ２００の軸方向の中央部に位置する第１のケース体２１１の外周面のうち、突部２１３を除く部分には、ラベル２５５が貼付されている。ラベル２５５には、例えば、それぞれの保持空間２３１に関する情報が表示される。なお、ラベル２５５は備えられていなくてもよい。
【００４４】
以下、香料カートリッジ２００を、構成要素ごとに分けて詳しく説明する。
【００４５】
（第１のケース体）
図８は、第１のケース体２１１を説明するために示す図である。図８は、第１のケース体２１１を前方側から軸方向に見た正面図である。なお、図５に示した香料カートリッジ２００の背面図は、第１のケース体２１１を後方側から軸方向に見た背面図に相当する。
【００４６】
第１のケース体２１１は、円筒形状の外形を有する。第１のケース体２１１の中央部には、軸方向の両端側に開口した軸方向孔２１５が設けられる。軸方向孔２１５の周りには、複数（本実施形態では２つ）の保持空間２３１が回転対称に設けられている。複数の保持空間２３１は、それぞれ扇状の断面形状を有し、全体としてリング状をなす。
【００４７】
複数の保持空間２３１は、それぞれ第１のケース体２１１の前方側に開口している。また、複数の保持空間２３１ａ，２３１ｂの後方側は、それぞれ第１の開口部２２１ａ，２２１ｂを介して外部に開放されている。それぞれの保持空間２３１ａ，２３１ｂは、第１の開口部２２１ａ，２２１ｂに隣接する内周面に、軸方向に延びる第１のリブ２３５ａ，２３５ｂ（以下、特に区別することを要しない場合には、第１のリブ２３５と総称する。）が形成される。
【００４８】
第１のケース体２１１の外周面のうち、疑似穴２２３の位置に対応する外周面に、軸方向に沿う所定長さを有する突部２１３が設けられる。突部２１３の前方側に隣接して、第１のケース体２１１の外周面と保持空間２３１ｂとを連通する孔部２２７が設けられる（図６を参照。）。かかる孔部２２７は、第２のケース体１００の係合突起１１７と共働して第１のケース体２１１と第２のケース体１００とを固定する機能を有する。孔部２２７は、保持空間２３１ｂに到達しない凹部であってもよい。孔部２２７は、異なる位相位置に複数設けられてもよい。
【００４９】
第１のケース体２１１の前方側端部の外周面の一部には凹部２２９が設けられる。かかる凹部２２９は、第２のケース体１００の凸部１１９（図１１を参照）と共働して第１のケース体２１１と第２のケース体１００とを組み付ける際の位置決め要素としての機能を有する。第１のケース体２１１に凸部が設けられ、第２のケース体１００に凹部が設けられてもよい。
【００５０】
（第２のケース体）
図９〜図１２は、第２のケース体１００を説明するために示す図である。図９は、第２のケース体１００を前方側から軸方向に見た正面図である。図１０は、第２のケース体１００の側面図である。図１１は、第２のケース体１００を後方側から軸方向に見た背面図である。図１２は、第２のケース体１００の軸方向断面図であり、図９及び図１１のＩＩ−ＩＩ断面の矢視図に相当する。
【００５１】
第２のケース体１００は、軸方向長さが第１のケース体２１１よりも短い円筒形状の外形を有する。第２のケース体１００の外周面はローレット加工が施され、周方向に沿って形成された微細な溝が複数設けられる。
【００５２】
第２のケース体１００の中央部には、軸方向の両端側に開口した軸方向孔１１１が設けられている。軸方向孔１１１は、前方側の小径部１１１ａと後方側の大径部１１１ｂとを有する。第２のケース体１００の軸方向孔１１１は、第２のケース体１００が第１のケース体２１１に取り付けられた状態で、第１のケース体２１１の軸方向孔２１５と一体となって１つの軸方向孔を形成可能になっている。
【００５３】
軸方向孔１１１の周りには、それぞれ軸方向の両端に開口した複数（本実施形態では２つ）の連通孔１０１ａ，１０１ｂ及び香料注入口１０５ａ，１０５ｂが設けられる。連通孔１０１ａ，１０１ｂ及び香料注入口１０５ａ，１０５ｂは、疑似孔１０３及び連通孔１０７と合わせて、軸方向孔１１１の周りに等間隔（本実施形態では６０度等間隔）で設けられる。ただし、連通孔１０１ａ，１０１ｂ、香料注入口１０５ａ，１０５ｂ、連通孔１０７及び疑似孔１０３の配置位置は等間隔でなくてもよい。
【００５４】
第２のケース体１００が第１のケース体２１１に取り付けられた状態で、２つの連通孔１０１ａ，１０１ｂは、それぞれ保持空間２３１ａ，２３１ｂに連通する。２つの連通孔１０１ａ，１０１ｂは、通風孔としての機能を有する。それぞれの保持空間２３１ａ，２３１ｂに設けられた第１の開口部２２１ａ，２２１ｂと第２のケース体１００のそれぞれの連通孔１０１ａ，１０１ｂとは、軸回りに同位相に位置する。つまり、それぞれの保持空間２３１に設けられた第１の開口部２２１と連通孔１０１とは、軸方向に沿って直線的に結ばれる。
【００５５】
第２のケース体１００が第１のケース体２１１に取り付けられた状態で、２つの香料注入口１０５ａ，１０５ｂは、それぞれ保持空間２３１ａ，２３１ｂに連通する。２つの香料注入口１０５ａ，１０５ｂは、保持空間２３１ａ，２３１ｂ内に香料を注入する注入口としての機能を有する。通風孔として機能する連通孔１０１ａ，１０１ｂ内には、リブ１１５ａ，１１５ｂ（以下、特に区別することを要しない場合にはリブ１１５と総称する。）が設けられる。当該リブ１１５ａ，１１５ｂは、香料注入口１０５ａ，１０５ｂに挿入される治具が誤って連通孔１０１ａ，１０１ｂに挿入されることを抑止する機能を有する。
【００５６】
図９に例示したリブ１１５は、連通孔１０１を二分するように懸架されているが、利用者が治具の先端を連通孔１０１に挿入しようと試みた場合に治具の進入を阻止できるようになっていれば、リブ１１５の形態はこの例に限られない。
【００５７】
第２のケース体１００は、前方側に、ケースカバー１５０を収容する前方側凹部１０８を有する。また、第２のケース体１００は、後方側に、第１のケース体２１１の先端部を収容する後方側凹部１０９を有する。後方側凹部１０９の内周面には、第１のケース体２１１の孔部２２７に係合する係合突起１１７が設けられる。本実施形態においては、２つの係合突起１１７が設けられる（図１１及び図１２を参照。）。また、後方側凹部１０９の内周面には、第１のケース体２１１の凹部２１９に挿入される凸部１１９が設けられる。
【００５８】
第２のケース体１００を第１のケース体２１１に組み付ける際に、第２のケース体１００及び第１のケース体２１１は、凸部１１９と凹部２１９とにより位置合わせされ、係合突起１１７と孔部２２７とにより固定される。その際に、第１のケース体２１１の先端部が第２のケース体１００の後方側凹部１０９に装着された状態で、第１のケース体２１１の先端面が第２のケース体１００の後方側凹部１０９の底面に当接し、それぞれの保持空間２３１ａ，２３１ｂが隔離状態となる。
【００５９】
第２のケース体１００の後端面には、それぞれの連通孔１０１ａ，１０１ｂから反時計回りにずれた位置に第２のリブ１２１ａ，１２１ｂ（以下、特に区別することを要しない場合には、第２のリブ１２１と総称する。）が設けられる。第２のリブ１２１は、後方側に延びて立設され、第２のケース体１００が第１のケース体２１１に取り付けられた状態で第２のケース体１００の保持空間２３１内に配置される。第２のリブ１２１は、後述するように、保持空間２３１に香料保持体２５１が逆向きに配置されることを防ぐ機能を有する。
【００６０】
第２のケース体１００の外周面のうち、疑似孔１０３の位置に対応する外周面に、軸方向に沿う所定長さを有する突部１１３が設けられる。第２のケース体１００が第１のケース体２１１に取り付けられた状態で、第２のケース体１００の突部１１３が第１のケース体２１１の突部２１３に連続して配置されて、一体として突部２１２が形成される。
【００６１】
（ケースカバー）
図１３〜図１６は、ケースカバー１５０を説明するために示す図である。図１３は、ケースカバー１５０を前方側から軸方向に見た正面図である。図１４は、ケースカバー１５０を側方から見た側面図であり、図１３に示すケースカバー１５０を上方から見た図に相当する。図１５は、ケースカバー１５０を後方側から軸方向に見た背面図である。図１６は、ケースカバー１５０の軸方向断面図であり、図１３及び図１５のＩＩＩ−ＩＩＩ断面の矢視図に相当する。
【００６２】
ケースカバー１５０は、円板部１５３と、円板部１５３から後方側に延びて立設された円柱部１５５とを有する。円柱部１５５は、後端側に開口する中空の円筒形状を有する。円柱部１５５は、第２のケース体１００の軸方向孔１１１及び第１のケース体２１１の軸方向孔２１５内に挿入される。円板部１５３は、適宜の厚さの円板形状を有する。円板部１５３は、第２のケース体１００の前方側凹部１０８内に収容される。ケースカバー１５０は、ケース２１０に対して相対回転可能に取り付けられる。
【００６３】
ケースカバー１５０は、円板部１５３に、軸方向に貫通する第２の開口部１５１を有する。ケース２１０に対するケースカバー１５０の相対回転位置に応じて、第２の開口部１５１は、第２のケース体１００に形成された複数の連通孔１０１ａ，１０１ｂのうちのいずれかに連通可能になっている。つまり、第２の開口部１５１は、ケース２１０に対するケースカバー１５０の相対回転位置に応じて、いずれかの保持空間２３１ａ，２３１ｂを外部に開放する。円板部１５３の後端面には、後方側に突出する係合突部１５９が形成される。係合突部１５９は、例えば０．１５〜０．３ｍｍの高さの微小な突部であり、第２のケース体１００の連通孔１０１ａ，１０１ｂ，１０７に係合可能な位置に設けられている（図６を参照。）。
【００６４】
円柱部１５５は、軸方向に延びるスリット１５５ａを有する。スリット１５５ａには、後述する装置本体７００の基台部の固定軸に設けられた突部（図２に符号７６８で示す部分）が挿入される。円柱部１５５は、中空の内部空間の底部に、円柱部１５５の内周面の両側が迫り出して形成された係合凹部１５７を有する。係合凹部１５７には、装置本体７００の基台部の固定軸の先端部に設けられた係合部が挿入される。
【００６５】
円柱部１５５は、前方側の外周面に、回転対称に形成された２つの係止ツメ１５６を有する。係止ツメ１５６は、ケースカバー１５０の円柱部１５５がケース２１０の軸方向孔１１１，１２５に挿入された状態で、第２のケース体１００の軸方向孔１１１の大径部１１１ｂに配置され、小径部１１１ａと大径部１１１ｂとの段差部分に係止される。これにより、ケースカバー１５０がケース２１０から外れにくくなる。
【００６６】
（香料保持体）
保持空間２３１ａ，２３１ｂにそれぞれ配置される香料保持体２５１ａ，２５１ｂには、液体香料が保持される。例えば、香料保持体２５１は、液体香料を含浸可能な含浸材であってよい。液体香料の保持効率（含浸性）を高めるために、含浸材は、多孔質体又は繊維体であることが好ましい。また、含浸材は、液体香料に対する耐性を有する材料であることが好ましい。例えば、含浸材は、ポリエステルやナイロン、アクリル、あるいはポリアセタール等からなる合成繊維集束体やフェルトであってよい。
【００６７】
本実施形態に係る香料カートリッジ２００では、香料保持体２５１がポリエステル樹脂からなる繊維をシート状に成形した合成繊維集束体により形成され、かかるシート状の香料保持体２５１が、保持空間２３１の空間形状に適合するように曲げられて保持空間２３１内に配置される。液体香料の含浸性を高めるために、香料保持体２５１の線維密度が高くされた場合、香料保持体２５１の曲げ剛性が大きくなる。このため、香料保持体２５１には脆弱部が設けられ、香料保持体２５１が曲げやすくされる。
【００６８】
図１７は、図８に示した第１のケース体２１１のそれぞれの保持空間２３１ａ，２３１ｂに香料保持体２５１ａ，２５１ｂが配置された状態を示す説明図である。香料保持体２５１ａ，２５１ｂは、それぞれ湾曲した断面形状を有する保持空間２３１ａ，２３１ｂに配置される。第１のケース体２１１を軸方向に見たときに、それぞれの香料保持体２５１ａ，２５１ｂは、第１の開口部２２１ａ，２２１ｂと重ならないように配置される。それぞれの香料保持体２５１ａ，２５１ｂは、保持空間２３１ａ，２３１ｂの内周面に形成された第１のリブ２３５ａ，２３５ｂにより、第１の開口部２２１ａ，２２１ｂ側への移動が制限される。第１のリブ２３５ａ，２３５ｂは、規制部としての機能を有する。第１の開口部２２１ａ，２２１ｂが位置する空間は、空気が流れる通風領域Ａとしての機能を有する。
【００６９】
図１８は、保持空間２３１内に配置された状態での香料保持体２５１を示す斜視図である。香料保持体２５１は、第１のケース体２１１の軸方向に沿って形成された脆弱部２５４ａ，２５４ｂを有する。本実施形態に係る香料カートリッジ２００に備えられた香料保持体２５１の脆弱部２５４ａ，２５４ｂは、シート状の香料保持体２５１の一方側の面に設けられた切断線により形成される。脆弱部２５４ａ，２５４ｂは、香料保持体２５１を曲げる際の曲げ方向に交差する所定方向に沿う線上に設けられる。つまり、脆弱部２５４ａ，２５４ｂは、断面形状が全体としてリング状をなす保持空間２３１の中心線が延びる方向に沿って設けられる。このため、シート状の香料保持体２５１の曲げ剛性が比較的大きい場合であっても、保持空間２３１の形状に合わせて容易に曲げることができる。したがって、香料保持体２５１は、湾曲した断面形状を有する保持空間２３１に対しても容易に収容される。
【００７０】
香料保持体２５１は、２つの脆弱部２５４ａ，２５４ｂにより区分された第１の部分２５２ａ、第２の部分２５２ｂ及び第３の部分２５２ｃを有する。このうち、第１の部分２５２ａが、第１の開口部２２１が位置する通風領域Ａに隣接して配置される。第１の部分２５２ａは、第２の部分２５２ｂ及び第３の部分２５２ｃの端部位置よりも突き出た堰部２５３を有する。堰部２５３は、後述するように、液体香料を保持空間２３１内に注入する際に、液体香料が通風領域Ａに進入しないようにする機能を有する。
【００７１】
なお、図１８に示した脆弱部２５４ａ，２５４ｂは、香料保持体２５１を曲げた際に外周面に位置するように設けられているが、香料保持体２５１を曲げた際に内周面に位置するように設けられてもよい。ただし、脆弱部２５４が切断線により形成される場合、香料保持体２５１をより曲げやすくするには、脆弱部２５４ａ，２５４ｂは、香料保持体２５１を曲げた際に外周面に位置するように設けられることが好ましい。
【００７２】
また、脆弱部２５４の数は２つに限られない。香料保持体２５１の曲げ方向に沿って配列される脆弱部２５４の間隔が短いほど、香料保持体２５１は曲がりやすくなる。図１９及び図２０に示すように、香料保持体２５１の曲げ方向に沿って配列される脆弱部２７４の間隔が短いほど香料保持体２５１は曲がりやすくなって、香料保持体２５１をより滑らかな曲面形状にすることができる。
【００７３】
また、脆弱部２５４は、一方向に沿って連続する切断線からなる脆弱部２５４に限られない。例えば、図２１及び図２２に示すように、シート状の香料保持体２８１の一方側の面に設けられた凹溝により脆弱部２８４が形成されてもよい。また、図２３及び図２４に示すように、シート状の香料保持体２９１を貫通する切断線が一方向に沿って断続的に設けられた脆弱部２９４であってもよい。つまり、脆弱部２９４がミシン目により形成されてもよい。さらに、シート状の香料保持体を貫通して設けられた孔により脆弱部が形成されてもよい。香料保持体の一方側の面に形成される切断線又は凹溝、あるいは、香料保持体を貫通して形成される切断線又は孔は、香料保持体が完全に分割されない限り、連続的又は断続的に形成されていてよい。
【００７４】
（香料カートリッジの作用）
本実施形態に係る香料カートリッジ２００の作用を説明する。
【００７５】
図２５は、香料保持体２５１が保持空間２３１内に収容された様子を示す模式図である。上述したように、それぞれの保持空間２３１は、通風領域Ａを含む。通風領域Ａは、軸方向の両端部が第１の開口部２２１及び連通孔１０１に面する領域である。本実施形態において、それぞれの保持空間２３１の通風領域Ａは、第２のケース体１００の連通孔１０１を介してケースカバー１５０の第２の開口部１５１に連通する。通風領域Ａは、第１の開口部２２１と連通孔１０１及び第２の開口部１５１とを軸方向に沿って直線的に結ぶ。このため、第１の開口部２２１から保持空間２３１内に供給されて連通孔１０１を介して第２の開口部１５１へと流れる空気の通風抵抗が小さくなる。
【００７６】
香料保持体２５１は、通風領域Ａに対して軸方向に交差する方向に隣接して配置される。このため、通風領域Ａを通過する空気の流れによって、香料保持体２５１に保持された液体香料が気化される。香料保持体２５１が、含浸材に液体香料を含浸させた形態のものであれば、液体香料が含浸材の通風領域Ａ側に位置する部分に浸透してくるために、香料が継続的に気化される。
【００７７】
香料保持体２５１は、第１のリブ２３５により通風領域Ａ側への移動が制限されている。このため、通風領域Ａを通過する空気の通風抵抗が増大しにくくなる。また、空気の供給口である第１の開口部２２１から放出口である第２の開口部１５１に通じる連通孔１０１までの空間が、その他の開放口のない閉空間となっているため、通風によって気化された香料を全て放出口から効率的に放出させることができる。
【００７８】
第１の部分２５２ａの長手方向（香料カートリッジ２００の軸方向）の寸法は、例えば、保持空間２３１の軸方向長さに略一致してよい。一方、第２の部分２５２ｂ及び第３の部分２５２ｃの長手方向の寸法は、第２のケース体１００を第１のケース体２１１に組み付けた状態で、第２のケース体１００の第２のリブ１２１の後端面と第１のケース体２１１の保持空間２３１の底面との距離に略一致してよい。これにより、保持空間２３１内での香料保持体２５１の位置ずれが抑制される。また、保持空間２３１内に挿入する香料保持体２５１の向きを逆向きにした場合には、第２のケース体１００が第１のケース体２１１に正しく装着される前に、第２のケース体１００の第２のリブ１２１が香料保持体２５１に当たるため、香料保持体２５１の誤挿入を防ぐことができる。
【００７９】
第２のケース体１００の香料注入口１０５は、香料保持体２５１の第１の部分２５２ａに設けられた堰部２５３よりも第２の部分２５２ｂ側に位置する。香料注入口１０５と通風領域Ａとの間に第１の部分２５２ａの堰部２５３が配置されるため、注入される液体香料は、香料保持体２５１の先端面上を第３の部分２５２ｃ側へと流れつつ香料保持体２５１中へと浸透する。これにより、液体香料が通風領域Ａへと進入することが抑制され、第１の開口部２２１や連通孔１０１からの液体香料の漏れを防ぐことができる。
【００８０】
図２６は、香料カートリッジ２００に液体香料を注入する様子を示す説明図である。利用者は、ケースカバー１５０をケース２１０に装着する前に、注入治具３００を用いて保持空間２３１内に任意の液体香料を注入することができる。具体的に、利用者は、注入治具３００の先端部を、第２のケース体１００の香料注入口１０５に挿入して液体香料を保持空間２３１内に注入する。これにより、保持空間２３１内に配置された香料保持体２５１に液体香料を保持させることができる。注入治具３００は、先端部を香料注入口１０５に挿入できるものであればよく、例えばシリンジやピペット、スポイト等であってよい。
【００８１】
第２のケース体１００には、２つの香料注入口１０５ａ，１０５ｂが、いずれの保持空間２３１ａ，２３１ｂに対応するかを判別しやすくするための表示１３１ａ，１３１ｂが設けられる。したがって、利用者が、液体香料を、誤って異なる保持空間２３１に注入することを抑止することができる。
【００８２】
また、通風孔となる連通孔１０１ａ，１０１ｂの内側にはリブ１１５ａ，１１５ｂが設けられる。このため、利用者が、注入治具３００を、誤って連通孔１０１ａ，１０１ｂに挿入することを抑止することができる。これにより、液体香料が通風領域Ａに進入して、第１の開口部２２１あるいは第２の開口部１５１から漏れ出すことを防ぐことができる。
【００８３】
保持空間２３１内に液体香料を注入した後、香料注入口１０５からの液体香料の漏れを防ぐために、香料注入口１０５が封止されてもよい。図２７は、香料注入口１０５を塞ぐための封止治具３２０の一例を示す斜視図であり、図２８は、香料注入口１０５が封止された状態を示す説明図である。
【００８４】
図２７に示した封止治具３２０は、封止部３２１及び支持部３２３を備える。封止部３２１と支持部３２３とは、縮径された破断予定部３２４により連結されている。封止部３２１は、嵌合部３２１ａ及びフランジ部３２１ｂを有する。嵌合部３２１ａは、例えば香料注入口１０５に圧入可能な直径を有する一方、フランジ部３２１ｂは、香料注入口１０５よりも大きい直径を有する。利用者は、香料注入口１０５から保持空間２３１内に液体香料を注入した後、封止部３２１の嵌合部３２１ａを香料注入口１０５に嵌合させるとともに、破断予定部３２４を破断させて封止部３２１を支持部３２３から切り離す。これにより、図２８に示したように、香料注入口１０５を塞ぐことができる。
【００８５】
＜４．香料カートリッジの変形例＞
ここまで、本実施形態に係る香料カートリッジ２００の構成例を説明したが、本実施形態に係る香料カートリッジ２００は、種々変形することができる。
【００８６】
図２９は、変形例に係る香料カートリッジ２００Ａの構成を示す分解斜視図である。変形例に係る香料カートリッジ２００Ａは、香料保持体２６１が配置される保持空間２３１を１つのみ有する点で、上記実施形態に係る香料カートリッジ２００と異なる。１つの保持空間２３１が設けられることに対応して、第１のケース体２１１の第１の開口部（２２１）及び第１のリブ２３５、第２のケース体１００の連通孔１０１及び香料注入口１０５も１つずつ設けられる。
【００８７】
変形例では、円筒形状をなす１つの保持空間２３１に香料保持体２６１が配置される。香料保持体２６１は、ほぼ円筒形状にされて、通風領域Ａを除く領域のほぼ全体に渡って配置される。香料保持体２６１は、シート状の含浸材２６２の一面側に、切断線からなる複数の脆弱部２６４が形成されて構成される。このため、シート状の含浸材２６２の曲げ剛性が比較的大きい場合であっても、保持空間２３１の形状に合わせて容易に曲げられる。したがって、香料保持体２６１は、円筒形状をなす保持空間２３１に対しても容易に収容される。
【００８８】
以上説明したように、本実施形態に係る香料カートリッジ２００によれば、湾曲した断面形状である保持空間２３１内に配置される香料保持体２５１が、曲げ剛性を低下させる脆弱部２５４を備える。このため、曲げ剛性が比較的高く、比較的液体香料の含浸性及び液体香料に対する耐性が高められた香料保持体２５１を、断面形状が湾曲又は屈曲した保持空間２３１に容易に配置することができる。例えば、切断線、凹溝又は孔が連続的に又は断続的に形成されてなる脆弱部が、香料保持体２５１の曲げ方向に交差する所定方向に沿う線上に設けられることにより、香料保持体２５１を所望の方向に容易に曲げやすくなって、保持空間２３１に容易に配置することができる。
【００８９】
また、本実施形態に係る香料カートリッジ２００では、湾曲又は屈曲した断面形状を有する保持空間２３１への香料保持体２５１の配置が容易になることから、比較的曲げ剛性の高い合成繊維集束体からなる香料保持体２５１を用いることができる。かかる香料保持体２５１は、液体香料の含浸量が多く、かつ、液体香料に対する耐性が高いために、長期間使用することができる。
【００９０】
また、本実施形態に係る香料カートリッジ２００は、香料保持体２５１の通風領域Ａ側への移動を制限する規制部として第１のリブ２３５を備える。したがって、香料保持体２５１が通風領域Ａ内に進入して、通風領域Ａを通過する空気の流れを阻害するおそれを低減することができる。このため、通風領域Ａを通過する空気の通風抵抗が低減され、香り提供装置１から放出される香りの流量の低下を抑制することができる。
【００９１】
また、本実施形態に係る香料カートリッジ２００は、香料保持体２５１が配置された保持空間２３１内に所望の液体香料を注入するための香料注入口１０５を備える。このため、利用者が任意の液体香料を注入して香り提供装置１を使用することができる。香料保持体２５１が、所定の堰部２５３を有することにより、液体香料を保持空間２３１に注入する際に、液体香料が通風領域Ａ側に進入することを抑制することができる。
【００９２】
また、本実施形態に係る香料カートリッジ２００は、香料注入口１０５と同一面に設けられた通風孔となる連通孔１０１にリブ１１５が設けられる。このため、液体香料を注入するための治具を誤って連通孔１０１に挿入することを抑止することができる。これにより、液体香料が通風領域Ａに進入することを抑制することができる。
【００９３】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００９４】
例えば、上記実施形態では、保持空間２３１の通風領域Ａに隣接して形成された第１のリブ２３５によって、香料保持体２５１の通風領域Ａ側への移動が制限されていたが、本開示の技術はかかる例に限定されない。例えば、香料保持体２５１が接着性を有している場合には、保持空間２３１の内面に香料保持体２５１が固定され、香料保持体２５１の通風領域Ａ側への移動が制限されてもよい。
【００９５】
また、上記実施形態では、１つ又は複数の保持空間２３１の断面形状が全体としてリング状になっていたが、本開示の技術はかかる例に限定されない。本開示の技術は、香料保持体が配置される保持空間の少なくとも一部が湾曲又は屈曲した断面形状を有するあらゆる場合に適用可能であり、香料保持体の曲げ剛性が比較的高い場合であっても、香料保持体を保持空間内に容易に配置することができる。
【００９６】
以下、参考例に係る香料カートリッジの構成例を説明する。図３０は、参考例に係る香料カートリッジ２００Ｂの構成例を示す分解斜視図である。参考例に係る香料カートリッジ２００Ｂは、香料保持体２９５が配置される１つの円筒形状の保持空間２３１を有する。かかる保持空間２３１には、全体として円筒形状にされた香料保持体２９５が配置される。かかる香料保持体２９５は、例えば、シート状の含浸材が巻回されて保持空間２３１内に配置されたものであってよい。このとき、含浸材に、切断線、凹溝又は孔が連続的又は断続的に形成されて脆弱部が設けられることにより、含浸材を容易に巻回することができる。
【００９７】
保持空間２３１に配置された香料保持体２５１には、螺旋状の通風領域２９８が形成される。螺旋状の通風領域２９８の後端部は、第１のケース体２１１に形成された図示しない第１の開口部の開口位置に位置する。また、螺旋状の通風領域２９８の先端部は、第２のケース体１００に形成された連通孔１０１の開口位置に位置する。
【００９８】
図３１は、参考例に係る香料カートリッジ２００Ｂにおいて、香料保持体２９５が保持空間２３１内に収容された様子を示す模式図である。上述したように、保持空間２３１には、螺旋状の通風領域２９８が形成される。第１の開口部２２１を介して保持空間２３１内に供給される空気は、通風領域２９８を通って連通孔１０１に到達する。このとき、空気が螺旋状に形成された通風領域２９８を通過する際に、通風領域２９８に隣接する香料保持体２９５に含浸された液体香料が気化され、空気とともに、連通孔１０１を介して第２の開口部１５１から放出される。
【００９９】
参考例に係る香料カートリッジ２００Ｂであっても、香料保持体２９５に保持された液体香料を、空気とともに効率的に放出することができる。
【０１００】
なお、以下のような構成も本開示の技術的範囲に属する。
（１）
香料保持体と、
前記香料保持体が配置される保持空間と、
前記保持空間を外部に開放する第１の開口部及び第２の開口部と、を備え、
前記保持空間は、断面形状の少なくとも一部が湾曲又は屈曲した空間であり、
前記香料保持体は、曲げ剛性を低下させる脆弱部を備える、香料保持構造体。
（２）
前記脆弱部が、切断線、凹溝又は孔のいずれかである、前記（１）に記載の香料保持構造体。
（３）
前記脆弱部が、前記香料保持体の曲げ方向に交差する所定方向に沿う線上に設けられる、前記（２）に記載の香料保持構造体。
（４）
前記脆弱部が、前記所定方向に沿って連続的又は断続的に設けられる、前記（３）に記載の香料保持構造体。
（５）
前記保持空間は、断面形状が全体としてリング状をなす１つ又は複数の保持空間を含む、前記（１）〜（４）のいずれか１項に記載の香料保持構造体。
（６）
前記脆弱部は、断面形状が全体としてリング状をなす前記保持空間の中心線が延びる方向に沿って設けられる、前記（５）に記載の香料保持構造体。
（７）
前記香料保持体は、合成繊維集束体からなる、前記（１）〜（６）のいずれか１項に記載の香料保持構造体。
（８）
前記保持空間は、前記香料保持体に隣接する空間として形成された領域であって、前記第１の開口部と前記第２の開口部とを結ぶ通風領域を含む、前記（１）〜（７）のいずれか１項に記載の香料保持構造体。
（９）
前記通風領域は、前記第１の開口部と前記第２の開口部とを前記所定方向に沿って直線的に結び、前記香料保持体は、前記通風領域に対して前記所定方向に交差する方向に隣接して配置される、前記（８）に記載の香料保持構造体。
（１０）
前記香料保持体の前記通風領域側への移動を制限する規制部を備える、前記（８）又は（９）に記載の香料保持構造体。
（１１）
前記規制部が、前記保持空間の内面に設けられたリブである、前記（１０）に記載の香料保持構造体。
（１２）
前記保持空間内に香料を注入するための香料注入口をさらに備える、前記（１）〜（１１）のいずれか１項に記載の香料保持構造体。
（１３）
前記保持空間は、前記香料保持体に隣接する空間として形成された領域であって、前記第１の開口部と前記第２の開口部とを結ぶ通風領域を含み、
前記香料保持体は、
前記香料注入口から注入される香料が前記通風領域に進入することを妨げるための堰部を備える、前記（１２）に記載の香料保持構造体。
（１４）
前記第１の開口部が空気供給口であり、前記第２の開口部が空気吹出口であり、
前記香料保持構造体は、
前記保持空間、前記第１の開口部及び前記香料注入口を有するケースと、
前記ケースに対して回転自在に取り付けられ、前記第２の開口部を有するケースカバーと、を備え、
前記ケースは、
前記ケースと前記ケースカバーとの相対回転位置に応じて前記第２の開口部と前記保持空間とを連通する連通孔を備える、前記（１２）又は（１３）に記載の香料保持構造体。
（１５）
前記香料注入口は、前記連通孔と同一の面に設けられ、前記連通孔内にリブが設けられる、前記（１４）に記載の香料保持構造体。
（１６）
前記香料保持構造体は、香り提供装置に装着される香料カートリッジである、前記（１）〜（１５）のいずれか１項に記載の香料保持構造体。
（１７）
香料保持体、前記香料保持体が配置される保持空間、並びに、前記保持空間を外部に開放する第１の開口部及び第２の開口部を備える香料保持構造体と、
前記保持空間へ空気を供給する送風源と、を備え、
前記保持空間は、断面形状の少なくとも一部が湾曲又は屈曲した空間であり、
前記香料保持体は、曲げ剛性を低下させる脆弱部を備える、香り提供装置。
【符号の説明】
【０１０１】
１        香り提供装置
１００    第２のケース体
１０１    連通孔
１０５    香料注入口
１１５    リブ
１５０    ケースカバー
１５１    第２の開口部
２００    香料カートリッジ（香料保持構造体）
２１０    ケース
２１１    第１のケース体
２２１    第１の開口部
２３１    保持空間
２３５    第１のリブ
２５１    香料保持体
２５３    堰部
２５４    脆弱部
【図１】
2020026662.tif 000003
【図２】
2020026662.tif 000004
【図３】
2020026662.tif 000005
【図４】
2020026662.tif 000006
【図５】
2020026662.tif 000007
【図６】
2020026662.tif 000008
【図７】
2020026662.tif 000009
【図８】
2020026662.tif 000010
【図９】
2020026662.tif 000011
【図１０】
2020026662.tif 000012
【図１１】
2020026662.tif 000013
【図１２】
2020026662.tif 000014
【図１３】
2020026662.tif 000015
【図１４】
2020026662.tif 000016
【図１５】
2020026662.tif 000017
【図１６】
2020026662.tif 000018
【図１７】
2020026662.tif 000019
【図１８】
2020026662.tif 000020
【図１９】
2020026662.tif 000021
【図２０】
2020026662.tif 000022
【図２１】
2020026662.tif 000023
【図２２】
2020026662.tif 000024
【図２３】
2020026662.tif 000025
【図２４】
2020026662.tif 000026
【図２５】
2020026662.tif 000027
【図２６】
2020026662.tif 000028
【図２７】
2020026662.tif 000029
【図２８】
2020026662.tif 000030
【図２９】
2020026662.tif 000031
【図３０】
2020026662.tif 000032
【図３１】
2020026662.tif 000033
【国際調査報告】
2020026662.tif 000034
2020026662.tif 000035
2020026662.tif 000036
2020026662.tif 000037